(57)【特許請求の範囲】
【請求項１】
第１の分割リング部材；
一端部が前記第１の分割リング部材の一端部に回転可能に結合される第２の分割リング部材；及び
前記第２の分割リング部材の他端部に回転可能に備えられ、前記第１の分割リング部材の他端部に分離可能に締結される締結部材；を含み、
前記締結部材は、前記第２の分割リング部材の他端部とヒンジ結合される締結板；及び
前記締結板の内側面に突出形成される係止突起部；を含み、
前記第１の分割リング部材は、他端部に形成される溝部；及び
前記溝部に形成される係止棒；を含み、
前記係止突起部は、前記締結板の内側面に複数形成され、
前記係止棒は、前記溝部に複数形成され、
互いに隣り合う前記係止棒がなす空間に前記係止突起部が挿入されることで前記締結部材が前記第１の分割リング部材に係合され、
前記第１の分割リング部材の内周面には、内側に突出形成される複数の第１の突起部；及び
互いに隣り合う前記第１の突起部の間に形成される第１の溝部；が備えられ、
前記第２の分割リング部材の内周面には、内側に突出形成される複数の第２の突起部；及び
互いに隣り合う前記第２の突起部の間に形成される第２の溝部；が備えられ
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接し、
前記第１の突起部と前記第２の突起部は、後端から突出最高地点までの勾配が前端から前記突出最高地点までの勾配より大きいことを特徴とする男性機能強化用リング。
【請求項２】
前記締結部材が前記第１の分割リング部材に係合されると、前記締結板は、前記溝部が外部に露出しないように前記溝部を覆うことを特徴とする、請求項１に記載の男性機能強化用リング。
【請求項３】
前記溝部は、前記第１の分割リング部材の外周面に形成され、前記締結板は、前記溝部の上方で前記溝部を覆うことを特徴とする、請求項２に記載の男性機能強化用リング。
【請求項４】
前記第１の分割リング部材には、前記溝部と連接する外周面に案内傾斜面がさらに備えられることを特徴とする、請求項３に記載の男性機能強化用リング。
【請求項５】
前記第１の分割リング部材の他端部には、当該他端部の位置を知らせる位置確認部がさらに備えられることを特徴とする、請求項３に記載の男性機能強化用リング。
【請求項６】
前記位置確認部は、前記第１の分割リング部材と異なる材質又は色相で形成されることを特徴とする、請求項５に記載の男性機能強化用リング。
【請求項７】
前記締結部材と前記第１の分割リング部材とが係合されると、前記第１の分割リング部材と前記第２の分割リング部材はリング状をなすようになることを特徴とする、請求項３に記載の男性機能強化用リング。
【請求項８】
第１の分割リング部材；
一端部が前記第１の分割リング部材の一端部に回転可能に結合される第２の分割リング部材；及び
一側が前記第２の分割リング部材の他端部に回転可能に備えられ、他側が前記第１の分割リング部材の他端部に分離可能に締結される締結部材；を含み、
前記第１の分割リング部材と前記第２の分割リング部材はヒンジ部によって結合され、
前記締結部材が前記第１の分割リング部材の他端部に締結されると、前記ヒンジ部と前記締結部材の他端部とをつなぐ直線は、前記第１の分割リング部材と前記第２の分割リング部材がなすリングの中心を通り、
前記第１の分割リング部材の内周面には、内側に突出形成される複数の第１の突起部；及び
互いに隣り合う前記第１の突起部の間に形成される第１の溝部；が備えられ、
第２の分割リング部材の内周面には、内側に突出形成される複数の第２の突起部；及び
互いに隣り合う前記第２の突起部の間に形成される第２の溝部；が備えられ
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接し、
前記第１の突起部と前記第２の突起部の突出最高地点は、中央から後端側に偏って位置することを特徴とする男性機能強化用リング。
【請求項９】
前記第１の分割リング部材には、前記締結部材の他端部と連接する外周面に案内傾斜面が備えられることを特徴とする、請求項８に記載の男性機能強化用リング。
【請求項１０】
前記第１の分割リング部材の他端部には、当該他端部の位置を知らせる位置確認部が備えられることを特徴とする、請求項９に記載の男性機能強化用リング。
【請求項１１】
前記締結部材は、前記第２の分割リング部材の他端部とヒンジ結合される締結板；及び
前記締結板の内側面に突出形成される係止突起部；を含み、
前記第１の分割リング部材は、他端部に形成される溝部；及び
前記溝部に形成される係止棒；を含み、
前記係止突起部は、前記締結板の内側面に複数形成され、
前記係止棒は、前記溝部に複数形成され、
互いに隣り合う前記係止棒がなす空間に前記係止突起部が挿入されることで前記締結部材が前記第１の分割リング部材に係合されることを特徴とする、請求項８に記載の男性機能強化用リング。
【請求項１２】
前記第１の突起部と前記第２の突起部は、後端から突出最高地点までの勾配が前端から前記突出最高地点までの勾配より大きいことを特徴とする、請求項８に記載の男性機能強化用リング。
【請求項１３】
内周面に内側に突出する第１の突起部が形成される第１の分割リング部材；
一端部が前記第１の分割リング部材の一端部に回転可能に結合され、内周面に内側に突出する第２の突起部が形成される第２の分割リング部材；及び
前記第２の分割リング部材の他端部に回転可能に備えられ、前記第１の分割リング部材の他端部に着脱可能に締結される締結部材；を含み、
前記第１の突起部は、前記第１の分割リング部材の内周面に複数形成され、互いに隣り合う前記第１の突起部の間には第１の溝部が形成され、
前記第２の突起部は、前記第２の分割リング部材の内周面に複数形成され、互いに隣り合う前記第２の突起部の間には第２の溝部が形成され、
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接し、
前記第１の突起部と前記第２の突起部の突出最高地点は、中央から後端側に偏って位置することを特徴とする男性機能強化用リング。
【請求項１４】
前記第１の突起部と前記第２の突起部は、後端から前記突出最高地点までの勾配が前端から前記突出最高地点までの勾配より大きいことを特徴とする、請求項１３に記載の男性機能強化用リング。
【請求項１５】
第１の分割リング部材；
一端部が前記第１の分割リング部材の一端部に回転可能に結合される第２の分割リング部材；及び
一側が前記第２の分割リング部材の他端部に回転可能に備えられ、他側が前記第１の分割リング部材の他端部に分離可能に締結される締結部材；を含み、
前記第１の分割リング部材と前記第２の分割リング部材はヒンジ部によって結合され、
前記締結部材が前記第１の分割リング部材の他端部に締結されると、前記ヒンジ部と前記締結部材の他端部とをつなぐ直線は、前記第１の分割リング部材と前記第２の分割リング部材がなすリングの中心を通り、
前記締結部材は、前記第２の分割リング部材の他端部とヒンジ結合される締結板；及び
前記締結板の内側面に突出形成される係止突起部；を含み、
前記第１の分割リング部材は、他端部に形成される溝部；及び
前記溝部に形成される係止棒；を含み、
前記係止突起部は、前記締結板の内側面に複数形成され、
前記係止棒は、前記溝部に複数形成され、
互いに隣り合う前記係止棒がなす空間に前記係止突起部が挿入されることで前記締結部材が前記第１の分割リング部材に係合され、
前記第１の分割リング部材の内周面には、内側に突出形成される複数の第１の突起部；及び
互いに隣り合う前記第１の突起部の間に形成される第１の溝部；が備えられ、
前記第２の分割リング部材の内周面には、内側に突出形成される複数の第２の突起部；及び
互いに隣り合う前記第２の突起部の間に形成される第２の溝部；が備えられ、
前記第１の突起部と前記第２の突起部は、後端から突出最高地点までの勾配が前端から前記突出最高地点までの勾配より大きく、
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接することを特徴とする男性機能強化用リング。
【請求項１６】
第１の分割リング部材；
一端部が前記第１の分割リング部材の一端部に回転可能に結合される第２の分割リング部材；及び
一側が前記第２の分割リング部材の他端部に回転可能に備えられ、他側が前記第１の分割リング部材の他端部に分離可能に締結される締結部材；を含み、
前記締結部材が前記第１の分割リング部材の他端部に締結され、前記第１の分割リング部材と前記第２の分割リング部材がリング状をなすとき、前記第１の分割リング部材と前記第２の分割リング部材は互いに非対称的に形成され、
前記第１の分割リング部材の内周面には、内側に突出形成される複数の第１の突起部；及び
互いに隣り合う前記第１の突起部の間に形成される第１の溝部；が備えられ、
第２の分割リング部材の内周面には、内側に突出形成される複数の第２の突起部；及び
互いに隣り合う前記第２の突起部の間に形成される第２の溝部；が備えられ
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接し、
前記第１の突起部と前記第２の突起部の突出最高地点は、中央から後端側に偏って位置することを特徴とする男性機能強化用リング。
【請求項１７】
第１の分割リング部材；
一端部が前記第１の分割リング部材の一端部に回転可能に結合される第２の分割リング部材；及び
前記第２の分割リング部材の他端部に回転可能に備えられ、前記第１の分割リング部材の他端部に分離可能に締結される締結部材；を含み、
前記締結部材は、前記第２の分割リング部材の他端部とヒンジ結合される締結板；及び
前記締結板の内側面に突出形成される係止突起部；を含み、
前記第１の分割リング部材は、他端部に形成される溝部；及び
前記溝部に形成される係止棒；を含み、
前記係止突起部は、前記締結板の内側面に複数形成され、
前記係止棒は、前記溝部に複数形成され、
互いに隣り合う前記係止棒がなす空間に前記係止突起部が挿入されることで前記締結部材が前記第１の分割リング部材に係合され、
前記第１の分割リング部材の内周面には、内側に突出形成される複数の第１の突起部；及び
互いに隣り合う前記第１の突起部の間に形成される第１の溝部；が備えられ、
前記第２の分割リング部材の内周面には、内側に突出形成される複数の第２の突起部；及び
互いに隣り合う前記第２の突起部の間に形成される第２の溝部；が備えられ
前記第１の分割リング部材の内周面では、前記第１の突起部と前記第１の溝部が波状をなして互いに接し、
前記第２の分割リング部材の内周面では、前記第２の突起部と前記第２の溝部は波状をなして互いに接し、
前記締結部材が前記第１の分割リング部材に係合されると、前記締結板は、前記溝部が外部に露出しないように前記溝部を覆い、
前記溝部は、前記第１の分割リング部材の外周面に形成され、前記締結板は、前記溝部の上方で前記溝部を覆い、
前記第１の分割リング部材の他端部には、当該他端部の位置を知らせる位置確認部がさらに備えられ、
前記位置確認部は、前記第１の分割リング部材と異なる材質又は色相で形成されることを特徴とする男性機能強化用リング。
【発明の詳細な説明】
【技術分野】
【０００１】
本発明は、男性機能強化用リングに関し、より詳細には、リング分割部材の締結及び締結解除を迅速に行うことができ、リングが自然に脱落する現象を防止しながら勃起力を強化させることができ、早漏を防止することによって夫婦生活の持続時間を延長させ得る男性機能強化用リングに関する。
【背景技術】
【０００２】
一般に、男性器（Ｐｅｎｉｓ）の勃起は、神経、血管、睾丸及び脳下垂体ホルモンなどの内分泌系が複合的に作用して生じ、男性器は、このような過程に反応するように特別な構造を有している。男性器は、多くの血管を含んでいるスポンジのような海綿体組織からなっており、視覚、聴覚又は触覚などを通じた性的刺激が加えられると、男性器内の各血管が拡張されながら多くの血液が陰茎に流れ込み、血流圧によって膨張されて勃起になる。ところが、最近は、複雑な社会環境と過重な業務ストレスによる勃起不全及び早漏症に悩む男性が増加しており、夫婦生活が円満でないという問題を有している。
【０００３】
本発明の背景技術は、韓国公開特許第２００２―００４３４１８号公報（２００２.０６.１０.公開、発明の名称：男性補助リング）に開示されている。
【発明の概要】
【発明が解決しようとする課題】
【０００４】
市販されている男性補助リングは、開閉装置を備えていない場合がほとんどであるので、当該男性補助リングを外すためには勃起状態が鎮まるまで待たなければならない。また、開閉装置を備えている場合にも、これを開放することが非常に難しいので、完全に勃起した状態では開放作業が不可能であるか、夫婦関係を中断した後、勃起が鎮まるまで待たなければならないという問題を有する。また、既存の男性補助リングは、開閉装置が意図せず開放される場合が発生し、男性補助リングの使用時に使用者の不満を引き起こすという問題を有する。また、既存の男性補助リングは、男性器に嵌め込まれた後、勃起状態が鎮まると男性器から離脱する場合が発生するので、紛失可能性が高いという問題を有する。
【０００５】
したがって、これを改善する必要性が要請される。
【０００６】
本発明は、リング分割部材の締結及び締結解除を迅速に行うことができ、男性器が最大に勃起しない状態でも勃起段階別に男性器を圧迫することによって、漸進的に勃起が強まって長い間勃起を持続できるようにする男性機能強化用リングを提供することを目的とする。
【課題を解決するための手段】
【０００７】
本発明の第１の側面に係る男性機能強化用リングは：第１の分割リング部材；一端部が前記第１の分割リング部材の一端部に回転可能に結合される第２の分割リング部材；及び前記第２の分割リング部材の他端部に回転可能に備えられ、前記第１の分割リング部材の他端部に分離可能に締結される締結部材；を含み、前記締結部材は、前記第２の分割リング部材の他端部とヒンジ結合される締結板；及び前記締結板の内側面に突出形成される係止突起部；を含み、前記第１の分割リング部材は、他端部に形成される溝部；及び前記溝部に備えられ、前記係止突起部と係合される係止棒を含む。
【０００８】
望ましくは、前記係止突起部は、前記締結板の内側面に複数形成され、前記係止棒は前記溝部に複数形成され、前記係止突起部のそれぞれは前記係止棒に係合される。
【０００９】
望ましくは、前記係止突起部が前記係止棒に係合されると、前記締結板は、前記溝部が外部に露出しないように前記溝部を覆う。
【００１０】
より望ましくは、前記溝部は、前記第１の分割リング部材の外周面に形成され、前記締結板は前記溝部の上方で前記溝部を覆う。
【００１１】
より望ましくは、前記第１の分割リング部材には、前記溝部と連接する外周面に案内傾斜面がさらに備えられる。
【００１２】
より望ましくは、前記第１の分割リング部材の他端部には、前記第１の分割リング部材と前記締結部材との係合方向を知らせる位置確認部がさらに備えられる。
【００１３】
より望ましくは、前記位置確認部は、前記第１の分割リング部材と異なる材質又は色相で形成される。
【００１４】
より望ましくは、前記係止突起部が前記係止棒に係合されると、前記第１の分割リング部材と前記第２の分割リング部材はリング状をなすようになる。
【００１５】
望ましくは、前記第１の分割リング部材の内周面には、内側に突出形成される複数の第１の突起部；及び互いに隣り合う前記第１の突起部の間に形成される第１の溝部；が備えられ、前記第２の分割リング部材の内周面には、内側に突出形成される複数の第２の突起部；及び互いに隣り合う前記第２の突起部の間に形成される第２の溝部；が備えられる。
【００１６】
より望ましくは、前記第１の突起部と前記第２の突起部は、後端から突出最高地点までの勾配が前端から前記突出最高地点までの勾配より大きい。
【００１７】
本発明の第２の側面に係る男性機能強化用リングは：第１の分割リング部材；一端部が前記第１の分割リング部材の一端部に回転可能に結合される第２の分割リング部材；及び一側が前記第２の分割リング部材の他端部に回転可能に備えられ、他側が前記第１の分割リング部材の他端部に分離可能に締結される締結部材；を含み、前記締結部材の他端部は、前記締結部材が前記第１の分割リング部材の他端部に締結されると、前記第１の分割リング部材と前記第２の分割リング部材がなすリング状の中央部に位置する。
【００１８】
望ましくは、前記第１の分割リング部材と前記第２の分割リング部材は、ヒンジ部によって結合され、前記ヒンジ部と前記締結部材の他端部をつなぐ直線は、前記第１の分割リング部材と前記第２の分割リング部材がなすリング状の中心線をなす。
【００１９】
望ましくは、前記第１の分割リング部材には、前記締結部材の他端部と連接する外周面に案内傾斜面が備えられる。
【００２０】
より望ましくは、前記第１の分割リング部材の他端部には、前記第１の分割リング部材と前記締結部材との係合方向を知らせる位置確認部が備えられる。
【００２１】
望ましくは、前記締結部材は、前記第２の分割リング部材の他端部とヒンジ結合される締結板；及び前記締結板の内側面に突出形成される係止突起部；を含み、前記第１の分割リング部材は、他端部に形成される溝部；及び前記溝部に備えられ、前記係止突起部と係合される係止棒；を含む。
【００２２】
望ましくは、前記第１の分割リング部材の内周面には、内側に突出形成される複数の第１の突起部；及び互いに隣り合う前記第１の突起部の間に形成される第１の溝部；が備えられ、前記第２の分割リング部材の内周面には、内側に突出形成される複数の第２突起部；及び互いに隣り合う前記第２の突起部の間に形成される第２の溝部；が備えられる。
【００２３】
より望ましくは、前記第１の突起部と前記第２の突起部は、後端から突出最高地点までの勾配が前端から前記突出最高地点までの勾配より大きい。
【００２４】
本発明の第３の側面に係る男性機能強化用リングは：内周面に内側に突出する第１の突起部が形成される第１の分割リング部材；一端部が前記第１の分割リング部材の一端部に回転可能に結合され、内周面に内側に突出する第２の突起部が形成される第２の分割リング部材；及び前記第２の分割リング部材の他端部に回転可能に備えられ、前記第１の分割リング部材の他端部に着脱可能に締結される締結部材；を含む。
【００２５】
望ましくは、前記第１の突起部は、前記第１の分割リング部材の内周面に複数形成され、互いに隣り合う前記第１の突起部の間には第１の溝部が形成され、前記第２の突起部は、前記第２の分割リング部材の内周面に複数形成され、互いに隣り合う前記第２の突起部の間には第２の溝部が形成される。
【００２６】
望ましくは、前記第１の突起部と前記第２の突起部の突出最高地点は、中央から後端側に偏って位置する。
【００２７】
より望ましくは、前記第１の突起部と前記第２の突起部は、後端から前記突出最高地点までの勾配が前端から前記突出最高地点までの勾配より大きい。
【００２８】
本発明の第４の側面に係る男性機能強化用リングは：第１の分割リング部材；一端部が前記第１の分割リング部材の一端部に回転可能に結合される第２の分割リング部材；及び一側が前記第２の分割リング部材の他端部に回転可能に備えられ、他側が前記第１の分割リング部材の他端部に分離可能に締結される締結部材；を含み、前記締結部材の他端部は、前記締結部材が前記第１の分割リング部材の他端部に締結されると、前記第１の分割リング部材と前記第２の分割リング部材がなすリング状の中央部に位置し、前記締結部材は、前記第２の分割リング部材の他端部とヒンジ結合される締結板；及び前記締結板の内側面に突出形成される係止突起部；を含み、前記第１の分割リング部材は、他端部に形成される溝部；及び前記溝部に備えられ、前記係止突起部と係合される係止棒；を含み、前記第１の分割リング部材の内周面には、内側に突出形成される複数の第１の突起部；及び互いに隣り合う前記第１の突起部の間に形成される第１の溝部；が備えられ、前記第２の分割リング部材の内周面には、内側に突出形成される複数の第２の突起部；及び互いに隣り合う前記第２の突起部の間に形成される第２の溝部；が備えられ、前記第１の突起部と前記第２の突起部は、後端から突出最高地点までの勾配が前端から前記突出最高地点までの勾配より大きい。
【００２９】
本発明の第５の側面に係る男性機能強化用リングは：第１の分割リング部材；一端部が前記第１の分割リング部材の一端部に回転可能に結合される第２の分割リング部材；及び一側が前記第２の分割リング部材の他端部に回転可能に備えられ、他側が前記第１の分割リング部材の他端部に分離可能に締結される締結部材；を含み、前記締結部材が前記第１の分割リング部材の他端部に締結され、前記第１の分割リング部材と前記第２の分割リング部材がリング状をなすとき、前記第１の分割リング部材と前記第２の分割リング部材は互いに非対称的に形成される。
【発明の効果】
【００３０】
本発明によると、男性器に装着された男性機能強化用リングを迅速に外すことができるので、緊急状況時の事故発生を低下させることができ、性感が極致に達して勃起が最高潮に達すると、痛みを解消し、射精を遅延させることができる。
【００３１】
また、本発明によると、男性機能強化用リングの内周面に形成される突起部を通して男性器に持続的に圧迫を加えるので、最初に勃起していない状態でも突起部の圧迫によって男性器の勃起力を増大させることができ、勃起時間を増加させることができる。
【００３２】
また、本発明によると、男性機能強化用リングの内周面に形成される突起部の勾配が前端側と後端側において異なるので、男性機能強化用リングが男性器から離脱することを防止することができ、男性器の根部側に向けてのみ男性機能強化用リングが動きながら入るので、このリングが亀頭部側から抜け出ることを防止することができる。
【図面の簡単な説明】
【００３３】
【図１】本発明の一実施形態に係る男性機能強化用リングの斜視図である。
【図２】本発明の一実施形態に係る男性機能強化用リングにおける第１の突起部の断面図である。
【図３】本発明の一実施形態に係る男性機能強化用リングにおいて締結部材が第１の分割リング部材に締結される前の状態を示した斜視図である。
【図４】図３における締結部材と第１の分割リング部材の拡大図である。
【図５】本発明の一実施形態に係る男性機能強化用リングにおいて第１の分割リング部材と第２の分割リング部材が分離された状態を示した図である。
【図６】本発明の一実施形態に係る男性機能強化用リングにおいて第１の分割リング部材と第２の分割リング部材が密着した状態を示した図である。
【図７】本発明の一実施形態に係る男性機能強化用リングにおいて締結部材が第１の分割リング部材に締結された状態を示した図である。
【発明を実施するための形態】
【００３４】
以下、添付の各図面を参照して本発明に係る男性機能強化用リングの実施形態を説明する。
【００３５】
このような過程で図面に示した各線の太さや構成要素の大きさなどは、説明の明瞭性と便宜のために誇張して図示する場合がある。
【００３６】
また、後述する各用語は、本発明での機能を考慮して定義された用語であって、これは、使用者、運用者の意図又は慣例によって変わり得る。
【００３７】
そのため、このような用語は、本明細書全般にわたる内容に基づいて定義されるべきであろう。
【００３８】
図１は、本発明の一実施形態に係る男性機能強化用リングの斜視図で、図２は、本発明の一実施形態に係る男性機能強化用リングにおける第１の突起部の断面図である。図３は、本発明の一実施形態に係る男性機能強化用リングにおいて締結部材が第１の分割リング部材に締結される前の状態を示した斜視図で、図４は、図３における締結部材と第１の分割リング部材の拡大図である。図５は、本発明の一実施形態に係る男性機能強化用リングにおいて第１の分割リング部材と第２の分割リング部材が分離された状態を示した図で、図６は、本発明の一実施形態に係る男性機能強化用リングにおいて第１の分割リング部材と第２の分割リング部材が密着した状態を示した図で、図７は、本発明の一実施形態に係る男性機能強化用リングにおいて締結部材が第１の分割リング部材に締結された状態を示した図である。
【００３９】
図１ないし図７を参照すると、本発明の一実施形態に係る男性機能強化用リング１は、第１の分割リング部材１０、第２の分割リング部材２０及び締結部材３０を含んで構成される。男性機能強化用リング１は、リング状をなしており、第１の分割リング部材１０と第２の分割リング部材２０に分割される。
【００４０】
第１の分割リング部材１０は、男性機能強化用リング１の一側部（図１を基準にしたときに左側部）をなし、第２の分割リング部材２０は、男性機能強化用リング１の他側部（図１を基準にしたときに右側部）をなす。
【００４１】
締結部材３０は、第２の分割リング部材２０に備えられ、第１の分割リング部材１０と分離可能に締結される。締結部材３０が第１の分割リング部材１０に締結されると、第１の分割リング部材１０と第２の分割リング部材２０はリング状をなすようになる。
【００４２】
第１の分割リング部材１０は、一端部１０ａで第２の分割リング部材２０の一端部２０ａとヒンジ結合される。これによって、第１の分割リング部材１０と第２の分割リング部材２０は、ヒンジ部ｈ１を中心に互いに回転可能に結合される。
【００４３】
第１の分割リング部材１０の他端部１０ｂには溝部１１が形成される。溝部１１は、第１の分割リング部材１０の外周面に形成される。本実施形態によると、溝部１１は、両側壁と下部が閉鎖され、上部が開放されており、全体的に凹の形状に形成される。
【００４４】
溝部１１の下部は閉鎖されているので、男性機能強化用リング１が男性器に装着された状態で男性器が勃起したとしても、男性器が締結部材３０を加圧できなくなるので、締結部材３０が意図せず第１の分割リング部材１０から分離されることを防止することができる。
【００４５】
溝部１１には、後述する係止突起部３２と係合される係止棒１２が備えられる。係止棒１２は、溝部１１の両側壁をつなぐ円柱状に形成され、複数が互いに離隔するように配置される。
【００４６】
第２の分割リング部材２０は、一端部２０ａで第１の分割リング部材１０と結合され、他端部２０ｂで締結部材３０の一端部３０ａとヒンジ結合される。これによって、締結部材３０は、ヒンジ部ｈ２を中心に第２の分割リング部材２０に対して回転可能に備えられる。
【００４７】
第１の分割リング部材１０の他端部１０ｂと第２の分割リング部材２０の他端部２０ｂとが当接した状態で（図６）、締結部材３０がヒンジ部ｈ２を中心に回転しながら第１の分割リング部材１０の他端部１０ｂに締結されると（図７）、第１の分割リング部材１０と第２の分割リング部材２０は全体的にリング状をなすようになる。
【００４８】
締結部材３０は、締結板３１及び係止突起部３２を含む。締結板３１は、第２の分割リング部材２０の他端部２０ｂとヒンジ部ｈ２によって結合される。締結板３１の外側面は、第１の分割リング部材１０と第２の分割リング部材２０と同一に滑らかな面をなす。
【００４９】
係止突起部３２は、締結板３１の内側面に突出形成されて係止棒１２に係合される。本実施形態によると、係止棒１２が円柱状に形成されるので、係止棒１２と当接する係止突起部３２の形状は曲面をなすようになる。
【００５０】
係止突起部３２は、複数が互いに離隔するように配置される。複数の係止突起部３２は、個別的に互いに隣り合う係止棒１２がなす空間に挿入されながら係止棒１２に係合される。
【００５１】
複数の係止突起部３２と係止棒１２を通して、締結部材３０と第１の分割リング部材１０は複数の箇所で締結される。したがって、男性機能強化用リング１が男性器に装着された状態で男性器が勃起したり、男性機能強化用リング１に外力が作用したりする場合、締結部材３０が第１の分割リング部材１０から意図せず分離されることを防止することができる。このように、本実施形態によると、複数の箇所における係止突起部３２と係止棒１２との係合が全て解除されてはじめて、締結部材３０が第１の分割リング部材１０から分離されるので、締結部材３０と第１の分割リング部材１０との間の結合強度を向上させることができる。
【００５２】
係止突起部３２が係止棒１２に係合されると、締結板３１は、溝部１１が外部に露出しないように溝部１１を覆うようになる。
【００５３】
本実施形態によると、溝部１１が第１の分割リング部材１０の外周面に形成されるので、ヒンジ部ｈ２を中心に回転する締結板３１は、溝部１１の上方で溝部１１を覆う。これによって、溝部１１に異物が入り込むことを防止できるようになる。
【００５４】
第１の分割リング部材１０の外周面には案内傾斜面１３が備えられる。案内傾斜面１３は、溝部１１と連接する第１の分割リング部材１０の外周面の一部に形成され、使用者の爪を締結部材３０の他端部３０ｂに案内する。
【００５５】
使用者は、締結部材３０を第１の分割リング部材１０から分離しようとするとき、係止突起部３２と係止棒１２との係合が解除されるように、締結部材３０の他端部３０ｂを第１の分割リング部材１０の他端部１０ｂから離隔させなければならない。
【００５６】
案内傾斜面１３は、使用者の右手の親指の爪が締結部材３０の他端部３０ｂに容易に達するように、溝部１１に至るまで傾斜面をなす。使用者は、爪が締結部材３０の他端部３０ｂに密着すると、爪を用いて締結部材３０の他端部３０ｂを持ち上げる。締結部材３０の他端部３０ｂが第１の分割リング部材１０から分離されると同時に、締結部材３０は、ヒンジ部ｈ２を中心軸にして時計方向に回転する（図６）。このように締結部材３０と第１の分割リング部材１０との締結が解除されると、使用者は、男性器に装着された男性機能強化用リング１を容易に男性器から抜き出せるようになる。
【００５７】
第１の分割リング部材１０の外周面には位置確認部１４が備えられる。位置確認部１４は、案内傾斜面１３に隣接するように配置される。使用者は、位置確認部１４を通して締結部材３０の他端部３０ｂを迅速に認識することができる。
【００５８】
使用者は、締結部材３０の他端部３０ｂを第１の分割リング部材１０から分離させることによって、第１の分割リング部材１０と第２の分割リング部材２０によって拘束された男性器を抜き出せるので、多くの緊急な状況で締結部材３０の他端部３０ｂの位置を迅速に把握することは非常に重要である。
【００５９】
位置確認部１４は、第１の分割リング部材１０と異なる材質又は色相で形成される。本実施形態によると、第１の分割リング部材１０は銀を含んで構成されるので、位置確認部１４は、第１の分割リング部材１０と確実に異なる質感を有する立方晶ジルコニアやプラスチック材質で形成することができる。
【００６０】
また、位置確認部１４は、銀の持つ固有の色相と異なる赤色、青色系統の色相で形成することができる。位置確認部１４が第１の分割リング部材１０と対比されるほど、使用者は、位置確認部１４を通して締結部材３０の他端部３０ｂの位置をより迅速に探すことができる。
【００６１】
締結部材３０の他端部３０ｂは、締結部材３０が第１の分割リング部材１０に締結されると、第１の分割リング部材１０と第２の分割リング部材２０がなすリング状の中央部に位置する。
【００６２】
締結部材３０が第１の分割リング部材１０の他端部に締結され、第１の分割リング部材１０と第２の分割リング部材２０がリング状をなすとき、第１の分割リング部材１０と第２の分割リング部材２０は互いに非対称的に形成される。
【００６３】
ヒンジ部ｈ１は、第１の分割リング部材１０と第２の分割リング部材２０がなすリング状の下側中央部に位置し、締結部材３０の他端部３０ｂは、第１の分割リング部材１０と第２の分割リング部材２０がなすリング状の上側中央部に位置する。言い換えると、ヒンジ部ｈ１と締結部材３０の他端部３０ｂとをつなぐ直線Ｃは、第１の分割リング部材１０と第２の分割リング部材２０がなすリング状、すなわち、男性機能強化用リング１の中心線をなす。
【００６４】
このように締結部材３０の締結時、他端部３０ｂが男性機能強化用リング１の一側方向に偏っておらず上側の中央部に配置されるので、使用者は、他端部３０ｂを小さい力でも第１の分割リング部材１０から容易に分離できるようになる。
【００６５】
具体的には、締結部材３０の他端部３０ｂが本実施形態のように上側中央部に置かれると、右手の親指の爪を用いて締結部材３０を第１の分割リング部材１０から容易に分離できるようになる。しかし、締結部材３０の他端部３０ｂが中央部でない左側又は右側のように一方に偏っていると、右手の親指の爪を用いて締結部材３０を第１の分割リング部材１０から分離することに困難が伴う。すなわち、左手の親指の爪で開放する場合は爪の方向が不自然になり、左手の人差し指の爪を使用する場合は、指の力が弱い上に爪も弱いので、分離作業が容易に行われなくなる。したがって、締結部材３０の他端部３０ｂが上側中央部に置かれる場合、締結部材３０の分離が最も容易になる。
【００６６】
第１の分割リング部材１０には、内周面から内側に突出する第１の突起部１６が形成される。本実施形態において、第１の突起部１６は内周面から約２ｍｍないし３ｍｍだけ内側に突出形成される。第１の突起部１６は、第１の分割リング部材１０の内周面に複数形成され、互いに隣り合う第１の突起部１６の間には第１の溝部１７が形成される。
【００６７】
第１の分割リング部材１０の内周面では、第１の突起部１６と第１の溝部１７は波状をなして互いに接する。
【００６８】
第２の分割リング部材２０には、内周面から内側に突出する第２の突起部２６が形成される。本実施形態では、第２の突起部２６は、内周面から約２ｍｍないし３ｍｍだけ内側に突出形成される。第２の突起部２６は、第２の分割リング部材２０の内周面に複数形成され、互いに隣り合う第２の突起部２６の間には第２の溝部２７が形成される。
【００６９】
第２の分割リング部材２０の内周面では、第２の突起部２６と第２の溝部２７は波状をなして互いに接する。
【００７０】
第１の分割リング部材１０と第２の分割リング部材２０を男性器に嵌めた状態で、図７に示すように、締結部材３０を第１の分割リング部材１０に締結する。
【００７１】
第１の突起部１６が第１の分割リング部材１０の内周面から突出し、第２の突起部２６が第２の分割リング部材２０の内周面から突出することによって、男性器は、勃起していない状態でも第１の突起部１６及び第２の突起部２６と当接するようになる。これによって、男性器が最も小さくなった場合にも、男性機能強化用リング１が男性器から離脱しなくなる。これは、歩行時のように衝撃が加えられる状況でも男性機能強化用リング１が男性器から離脱しないことを意味するので、男性機能強化用リング１の着用時における紛失を未然に防止することができる。
【００７２】
男性器は、第１突起部１６及び第２の突起部２６との接触によって刺激を受けるので、刺激を受けない場合に比べて勃起がより容易になされる。
【００７３】
勃起が進められると、男性器は、第１の溝部１７及び第２の溝部２７側に押されて入りながらより太くなる。その後、男性器の海綿体に圧力が増加しながら勃起をより強化させるようになり、男性機能強化用リング１を使用しない状態に比べて遥かに大きく且つ強く男性器の勃起がなされる。また、長い時間勃起した状態であっても勃起が鎮まらない状態になる。このような現象は、男性器の勃起力鍛錬のために平常時にも継続して着用しているときに、より威力を発揮するようになる。
【００７４】
第１の突起部１６において内側に最も高く突出した突出最高地点Ｍは、中央から後端Ａ側に偏って位置する。図２を基準にすると、第１の突起部１６の突出最高地点Ｍは、前端Ｂよりは後端Ａの近くに位置する。
【００７５】
第１の突起部１６において、後端Ａから突出最高地点Ｍまでの勾配は、前端Ｂから突出最高地点Ｍまでの勾配より大きく形成される。これは、男性器に嵌め込まれた男性機能強化用リング１が、使用者が意図した場合を除いては抜けないようにする役割をする。
【００７６】
男性機能強化用リング１は、後端Ａが男性器の根部に向かい、前端Ｂが男性器の亀頭部に向かうように男性器に嵌め込まれる。
【００７７】
第１の突起部１６において、前端Ｂから突出最高地点Ｍまでの勾配が相対的に緩いので、男性機能強化用リング１が男性器の根側に押されて入ることは容易である。その一方、第１の突起部１６において、後端Ａから突出最高地点Ｍまでの勾配は相対的に険しいので、男性機能強化用リング１が男性器の亀頭部側に移動することは難しくなる。このことによって、男性機能強化用リング１が男性器の亀頭部側に移動し、このリング１が男性器から離脱することを抑制することができる。
【００７８】
本実施形態において、男性機能強化用リング１の内側面は、中心線Ｃを基準にして両側が互いに対称に形成される。したがって、第２の突起部２６も、第１の突起部１６と同様に、第２の突起部２６において内側に最も高く突出した突出最高地点が中央から後端側に偏って位置する。第２の突起部２６の突出最高地点は、前端よりは後端の近くに位置する。
【００７９】
第２の突起部２６において、後端から突出最高地点までの勾配は、前端から突出最高地点までの勾配より大きく形成される。これは、男性器に嵌め込まれた男性機能強化用リング１が、使用者が意図した場合を除いては抜け出ないようにする役割をする。
【００８０】
第２の突起部２６において、前端から突出最高地点までの勾配が相対的に緩いので、男性機能強化用リング１が男性器の根部側に押されて入ることは容易である。その一方、第２の突起部２６において、後端から突出最高地点までの勾配は相対的に険しいので、男性機能強化用リング１が男性器の亀頭部側に移動することは難しくなる。これによって、男性機能強化用リング１が男性器の亀頭部側に移動し、このリング１が男性器から離脱することを抑制することができる。
【００８１】
男性機能強化用リング１において、第１の突起部１６、第１の溝部１７、第２の突起部２６、第２の溝部２７などが形成される内側面には滑らかな面部Ｐが形成される。これによって、男性機能強化用リング１の内側面が凹凸状に形成される場合にも、男性機能強化用リング１によって男性器が引っかかれて傷付くことを防止することができる。
【００８２】
本発明は、図面に示した一実施形態を参考にして説明したが、これは例示的なものに過ぎなく、当該技術分野で通常の知識を有する者であれば、これから多様な変形及び均等な他の実施形態が可能であることを理解できるだろう。
【００８３】
したがって、本発明の真の技術的保護範囲は、下記の特許請求の範囲によって定めるべきであろう。
【図１】
0005883139.tif 000002
【図２】
0005883139.tif 000003
【図３】
0005883139.tif 000004
【図４】
0005883139.tif 000005
【図５】
0005883139.tif 000006
【図６】
0005883139.tif 000007
【図７】
0005883139.tif 000008